(57)【特許請求の範囲】
【請求項１】
上段野縁受け材と、
前記上段野縁受け材よりも低い位置に配設された下段野縁受け材と、
前記上段野縁受け材から垂下して前記下段野縁受け材の端部に至る垂直野縁受け材と、
前記上段野縁受け材から斜め下方に延出して前記下段野縁受け材に至る補強用斜材と、を備える天井下地構造であって、
前記上段野縁受け材の先端部は、前記垂直野縁受け材から張り出しており、
前記補強用斜材の上端部は、前記上段野縁受け材の前記先端部に固定されており、
前記補強用斜材の下端部は、前記下段野縁受け材と前記垂直野縁受け材との交差部と異なる位置において前記下段野縁受け材に固定されていることを特徴とする、天井下地構造。
【請求項２】
前記上段野縁受け材、前記下段野縁受け材、前記垂直野縁受け材および前記補強用斜材が断面コ字状の形材からなり、
前記垂直野縁受け材の上端部および下端部は、前記上段野縁受け材および前記下段野縁受け材と背合わせの状態で固定されており、
前記補強用斜材の上端部および下端部は、前記上段野縁受け材および前記下段野縁受け材と背合わせの状態で固定されていることを特徴とする、請求項１に記載の天井下地構造。
【請求項３】
上段野縁受け材と、
前記上段野縁受け材の上面に当該上段野縁受け材と直交するように設けられた上段補強用横材と、
前記上段野縁受け材よりも低い位置に配設された下段野縁受け材と、
前記下段野縁受け材の上面に当該下段野縁受け材と直交するように設けられた下段補強用横材と、
前記上段補強用横材から垂下して前記下段補強用横材の端部に至る垂直野縁受け材と、
前記上段補強用横材から斜め下方に延出して前記下段補強用横材に至る補強用斜材と、を備える天井下地構造であって、
前記上段補強用横材の先端部は、前記垂直野縁受け材から張り出しており、
前記補強用斜材の上端部は、前記上段補強用横材の前記先端部に固定されており、
前記補強用斜材の下端部は、前記下段補強用横材と前記垂直野縁受け材との交差部と異なる位置において前記下段補強用横材に固定されていることを特徴とする、天井下地構造。
【発明の詳細な説明】
【技術分野】
【０００１】
本発明は、天井下地構造に関する。
【背景技術】
【０００２】
段差天井においては、高さの異なる二本の野縁受けと、これらの野縁受け同士を連結する垂直野縁受けが配設されている（例えば、特許文献１参照）。
【０００３】
また、特許文献２には、野縁受けと垂直野縁受けとを、Ｌ字型補強材を介して接合する天井下地構造が開示されている。
【０００４】
ところで、段差部の補強方法としては、図４に示す天井下地構造１００のように、上下の野縁受け材１１１，１１２を連結する補強用斜材１１４を取り付けるのが一般的である。この補強用斜材１１４の上端部は、上段の野縁受け材１１１と垂直野縁受け材１１３とが交差する位置に連結されている。
【先行技術文献】
【特許文献】
【０００５】
【特許文献１】特開２００９−００２１２９公報
【特許文献２】特開２００３−２９３５１０公報
【発明の概要】
【発明が解決しようとする課題】
【０００６】
補強用斜材１１４の上端部の接合部では、３本の形材（上段の野縁受け材１１１、垂直野縁受け材１１３および補強用斜材１１４）が交差した状態（１点に集まった状態）で接合されるため、その構造が複雑となり、接合作業に手間を要していた。
【０００７】
特に、各部材が断面コ字状の溝型鋼やチャンネル材により構成されている場合には、３本の形材のうちの２本についてはウェブ同士を背合わせできるものの、残りの１本の形材については、フランジ部分（開口部分）が他の形材に当接するため、溶接やビス止めが困難となる。そのため、スペーサー等の他の部材を介設する必要があり、施工手間の増大と天井下地材の重量化を招くおそれがあった。
また、多くの部材を介して接合するため、接合部の強度低下やズレ（変位）が生じるおそれがある。
【０００８】
本発明は、前記の問題点を解決することを目的とするものであり、簡易に施工することが可能な、段差天井における天井下地構造を提案することを課題とする。
【課題を解決するための手段】
【０００９】
前記課題を解決するために、本発明に係る第一の天井下地構造は、上段野縁受け材と、前記上段野縁受け材よりも低い位置に配設された下段野縁受け材と、前記上段野縁受け材から垂下して前記下段野縁受け材の端部に至る垂直野縁受け材と、前記上段野縁受け材から斜め下方に延出して前記下段野縁受け材に至る補強用斜材とを備える天井下地構造であって、前記上段野縁受け材の先端部は、前記垂直野縁受け材から張り出しており、前記補強用斜材の上端部は、前記上段野縁受け材の前記先端部に固定されており、前記補強用斜材の下端部は、前記下段野縁受け材と前記垂直野縁受け材との交差部と異なる位置において前記下段野縁受け材に固定されていることを特徴としている。
【００１０】
かかる天井下地構造によれば、補強用斜材が、垂直野縁受け材と異なる位置において上段野縁受け材および下段野縁受け材に固定されるため、３本の形材が交差することがなく、施工時の手間を省略することができる。また、スペーサー等の補助材を配せずとも形材同士を直接固定できるので、天井下地構造の重量化を防止するとともに接合部の強度低下やズレが生じることも防止することができる。
【００１１】
前記上段野縁受け材、前記下段野縁受け材、前記垂直野縁受け材および前記補強用斜材が断面コ字状の形材からなり、前記垂直野縁受け材の上端部および下端部は前記上段野縁受け材および前記下段野縁受け材と背合わせの状態で固定されており、前記補強用斜材の上端部および下端部は前記上段野縁受け材および前記下段野縁受け材と背合わせの状態で固定されていれば、形材同士の溶接やビス止めが簡易となり、施工性が向上する。
【００１２】
また、本発明に係る第二の天井下地構造は、上段野縁受け材と、前記上段野縁受け材の上面に当該上段野縁受け材と直交するように設けられた上段補強用横材と、前記上段野縁受け材よりも低い位置に配設された下段野縁受け材と、前記下段野縁受け材の上面に当該下段野縁受け材と直交するように設けられた下段補強用横材と、前記上段補強用横材から垂下して前記下段補強用横材の端部に至る垂直野縁受け材と、前記上段補強用横材から斜め下方に延出して前記下段補強用横材に至る補強用斜材とを備える天井下地構造であって、前記上段補強用横材の先端部は前記垂直野縁受け材から張り出しており、前記補強用斜材の上端部は前記上段補強用横材の前記先端部に固定されており、前記補強用斜材の下端部は前記下段補強用横材と前記垂直野縁受け材との交差部と異なる位置において前記下段補強用横材に固定されていることを特徴としている。
【００１３】
かかる天井下地構造によれば、下がり壁と野縁受け材とが平行になっている段差天井を補強する（野縁方向において天井に段差を有している）場合であっても、形材同士の固定を簡易に行うことができる。
【発明の効果】
【００１４】
本発明の天井下地構造によれば、段差天井の下地構造を簡易に施工することが可能となる。
【図面の簡単な説明】
【００１５】
【図１】第一の実施形態に係る天井下地構造を示す断面図である。
【図２】形材同士の接合部の拡大斜視図である。
【図３】第二の実施形態に係る天井下地構造を示す断面図である。
【図４】従来の天井下地構造を示す断面図である。
【発明を実施するための形態】
【００１６】
第一の実施形態の天井下地構造１は、図１に示すように、段差を有する段差天井２を支持するものである。
【００１７】
段差天井２は、水平に配設された上下２段の仕上げ材２１，２１と、上下の仕上げ材２１，２１の間に配設された下がり壁２２とを備えている。
下がり壁２２は、野縁受け材１１，１２と交差するように配設されている。
【００１８】
天井下地構造１は、上段野縁受け材１１と、下段野縁受け材１２と、垂直野縁受け材１３と、補強用斜材１４と、野縁１５ａ，１５ｂ，１５ｃとを備えている。
野縁１５ａ，１５ｂ，１５ｃは下がり壁２２の壁面と平行となる方向（紙面垂直方向）に沿って延在している。
【００１９】
上段野縁受け材１１は、上段の野縁１５ａを支持する棒状部材であって、複数の吊りボルト１６ａにより吊持されている。複数の吊りボルト１６ａのうち、上段野縁受け材１１の先端側（上段の仕上げ材２１の端部側）に配設された吊りボルト１６ａは、垂直野縁受け材１３との離れが１５０ｍｍ以内となる位置に配置されている。
なお、上段野縁受け材１１を支持する部材は、吊りボルト１６ａに限定されるものではない。また、傾斜した天井を形成する場合等においては、上段野縁受け材１１が水平に配置されないこともある。
【００２０】
上段野縁受け材１１は、図２に示すように、ウェブと一対のフランジとを備えた断面コ字状の鋼製形材（いわゆる溝形鋼）からなる。なお、上段野縁受け材１１を構成する形材は限定されるものではなく、例えば、断面Ｃ字状のチャンネル材やＬ型鋼等であってもよい。また、上段野縁受け材１１の材質も限定されるものではなく、例えばアルミニウムやステンレス等であってもよい。
【００２１】
図１に示すように、上段野縁受け材１１の先端部１１ａは、垂直野縁受け材１３から張り出し、下段野縁受け材１２の上方に位置している。
【００２２】
上段の野縁１５ａは、上段の仕上げ材２１の背面に固定された棒状部材であって、仕上げ材２１を保持している。野縁１５ａは、上段野縁受け材１１と交差する向き（下がり壁２２の壁面と平行）に配設されていて、取付金具１１ｂを介して上段野縁受け材１１に固定されている。なお、傾斜した天井を形成する場合等においては、野縁１５ａが水平に配置されないこともある。
【００２３】
下段野縁受け材１２は、下段の野縁１５ｂを支持する棒状部材であって、上段野縁受け材１１よりも低い位置に配設されている。
【００２４】
下段野縁受け材１２は、複数の吊りボルト１６ｂにより吊持されている。複数の吊りボルト１６ｂのうち、下段野縁受け材１２の先端側（下段の仕上げ材２１の端部側）に配設された吊りボルト１６ｂは、垂直野縁受け材１３との離れが１５０ｍｍ以内となる位置に配置されている。
なお、下段野縁受け材１２を支持する部材は、吊りボルト１６ｂに限定されるものではない。また、傾斜した天井を形成する場合等においては、下段野縁受け材１２が水平に配置されないこともある。
【００２５】
下段野縁受け材１２は、ウェブと一対のフランジとを備えた断面コ字状の鋼製形材（いわゆる溝形鋼）からなる。なお、下段野縁受け材１２を構成する形材は限定されるものではなく、例えば、断面Ｃ字状のチャンネル材やＬ型鋼等であってもよい。また、下段野縁受け材１２の材質も限定されるものではなく、例えばアルミニウムやステンレス等であってもよい。
【００２６】
下段の野縁１５ｂは、下段の仕上げ材２１の背面に固定された棒状部材であって、仕上げ材２１を保持している。野縁１５ｂは、下段野縁受け材１２と交差する向き（下がり壁２２の壁面と平行）に配設されていて、取付金具１２ｂを介して下段野縁受け材１２に固定されている。なお、傾斜した天井を形成する場合等においては、野縁１５ｂが水平に配置されないこともある。
【００２７】
垂直野縁受け材１３は、下がり壁２２に沿って配設された垂直部材であって、下がり壁２２の背面に配設された野縁１５ｃを支持している。
【００２８】
垂直野縁受け材１３は、図２に示すように、ウェブと一対のフランジとを備えた断面コ字状の鋼製形材（いわゆる溝形鋼）からなる。なお、垂直野縁受け材１３を構成する形材は限定されるものではなく、例えば、断面Ｃ字状のチャンネル材やＬ型鋼等であってもよい。また、垂直野縁受け材１３の材質も限定されるものではなく、例えばアルミニウムやステンレス等であってもよい。
【００２９】
垂直野縁受け材１３は、図１に示すように、上段野縁受け材１１から垂下して下段野縁受け材１２の端部に至る形材である。つまり、垂直野縁受け材１３は、上端部が上段野縁受け材１１の先端部１１ａに固定されており、下端部が下段野縁受け材１２の先端部１２ａに固定されている。
【００３０】
垂直野縁受け材１３の上端部は、上段野縁受け材１１と背合わせの状態（ウェブ同士を重ねた状態）で上段野縁受け材１１に固定されている（接合部Ｊ１）。なお、上段野縁受け材１１と垂直野縁受け材１３の固定方法は限定されるものではなく、例えば、溶接やビス止めにより行えばよい。
【００３１】
また、垂直野縁受け材１３の下端部は、下段野縁受け材１２と背合わせの状態（ウェブ同士を重ねた状態）で下段野縁受け材１２に固定されている（接合部Ｊ２）。なお、下段野縁受け材１２と垂直野縁受け材１３の固定方法は限定されるものではなく、例えば、溶接やビス止めにより行えばよい。
【００３２】
野縁１５ｃは、下がり壁２２の背面に固定された棒状部材であって、下がり壁２２を保持している。野縁１５ｃは、垂直野縁受け材１３と交差する向きで配設されていて、取付金具１３ａを介して上段野縁受け材１１に固定されている。なお、傾斜した天井を形成する場合等においては、野縁１５ｃが水平に配置されないこともある。
【００３３】
補強用斜材１４は、図１に示すように、上段野縁受け材１１から斜め下方に延出して下段野縁受け材１２に至る形材である。
【００３４】
補強用斜材１４は、図２に示すように、ウェブと一対のフランジとを備えた断面コ字状の鋼製形材（いわゆる溝形鋼）からなる。なお、補強用斜材１４を構成する形材は限定されるものではなく、例えば、断面Ｃ字状のチャンネル材やＬ型鋼等であってもよい。また、補強用斜材１４の材質も限定されるものではなく、例えばアルミニウムやステンレス等であってもよい。
【００３５】
補強用斜材１４の上端部は、上段野縁受け材１１の先端部１１ａに固定されている（接合部Ｊ３）。
補強用斜材１４は、図１に示すように、下方に行くに従って、垂直野縁受け材１３から離れるように延出しており、補強用斜材１４の下端部は、垂直野縁受け材１３から離れた位置（吊りボルト１６ｂを挟んで垂直野縁受け材１３の反対側）において、下段野縁受け材１４に固定されている（接合部Ｊ４）。つまり、補強用斜材１４の下端部は、下段野縁受け材１２と垂直野縁受け材１３との交差部（接合部Ｊ２）と異なる位置において、下段野縁受け材１２に固定されている。
【００３６】
補強用斜材１４の上端部は、図２に示すように、上段野縁受け材１１と背合わせの状態（ウェブ同士を重ねた状態）で上段野縁受け材１１に固定されている。補強用斜材１４の高さ方向中間部は、中間つなぎ材１４ａを介して垂直野縁受け材１３の高さ方向中間部に固定されている（接合部Ｊ５）。
なお、上段野縁受け材１１と補強用斜材１４との固定方法は限定されるものではなく、例えば、溶接やビス止めにより行えばよい。同様に、中間つなぎ材１４ａと垂直野縁受け材１３および補強用斜材１４との固定方法も限定されるものではない。
【００３７】
中間つなぎ材１４ａの一端は、垂直野縁受け材１３の中間部に背合わせの状態で固定されている（接合部Ｊ６）。また、中間つなぎ材１４ａの他端は、補強用斜材１４の中間部に背合わせの状態で固定されている（接合部Ｊ５）。
【００３８】
本実施形態の中間つなぎ材１４ａは、ウェブと一対のフランジとを備えた断面コ字状の鋼製形材（いわゆる溝形鋼）からなるが、中間つなぎ材１４ａを構成する形材は限定されるものではなく、例えば、断面Ｃ字状のチャンネル材やＬ型鋼等であってもよい。また、中間つなぎ材１４ａの材質も限定されるものではなく、例えばアルミニウムやステンレス等であってもよい。さらに、中間つなぎ材１４ａは、必要に応じて配設すればよく、省略してもよい。
【００３９】
また、補強用斜材１４の下端部は、下段野縁受け材１２と背合わせの状態（ウェブ同士を重ねた状態）で下段野縁受け材１２に固定されている（接合部Ｊ４）。なお、下段野縁受け材１２と補強用斜材１４の固定方法は限定されるものではなく、例えば、溶接やビス止めにより行えばよい。
【００４０】
本実施形態の天井下地構造１によれば、上段野縁受け材１１の先端部１１ａを垂直野縁受け材１３から張り出させることで、補強用斜材１４を垂直野縁受け材１３と重ならない位置において上段野縁受け材１１に固定することができる。そのため、施工時の手間を省略することが可能となる。
【００４１】
また、形材同士の接合をウェブ同士を背合わせした状態（ウェブ同士を重ねた状態）で直接的に行うことができるため、スペーサーなどの補助材を配置することによる施工の手間を省略するとともに重量が増加することも防ぐことができる。また、形材同士を直接的に接合するため、接合部の強度低下やズレ（変位の発生）を抑制することができる。
【００４２】
また、補強用斜材１４を配置することで、段差部を剛に固めることができるので、地震時に段差に起因して発生する偏心モーメントに対応する天井構造とすることができる。
【００４３】
第二の実施形態の天井下地構造１は、図３に示すように、野縁受け材１１，１２が下がり壁２２に平行になっている段差天井２を支持するものである。
【００４４】
段差天井２は、水平に配設された上下２段の仕上げ材２１，２１と、上下の仕上げ材２１，２１の間に配設された下がり壁２２とを備えている。
下がり壁２２は、野縁受け材１１，１２と平行に配設されている。
【００４５】
天井下地構造１は、上段野縁受け材１１と、下段野縁受け材１２と、垂直野縁受け材１３と、補強用斜材１４と、上段補強用横材１７と、下段野縁受け材１８と、野縁１５ａ，１５ｂ，１５ｃとを備えている。
野縁１５ａ，１５ｂ，１５ｃは下がり壁２２の壁面と平行となる方向（紙面垂直方向）に沿って延在している。
【００４６】
上段野縁受け材１１は、上段の野縁１５ａを支持する棒状部材であって、複数の吊りボルト１６ａにより吊持されている。なお、吊りボルト１６ａの構成は、第一の実施形態で示した内容と同様なため、詳細な説明は省略する。
【００４７】
上段野縁受け材１１は、ウェブと一対のフランジとを備えた断面コ字状の鋼製形材（いわゆる溝形鋼）からなる。なお、上段野縁受け材１１を構成する形材は限定されるものではなく、例えば、断面Ｃ字状のチャンネル材やＬ型鋼等であってもよい。また、上段野縁受け材１１の材質も限定されるものではなく、例えばアルミニウムやステンレス等であってもよい。
【００４８】
上段の野縁１５ａの構成は、第一の実施形態で示した内容と同様なため、詳細な説明は省略する。
【００４９】
上段補強用横材１７は、上段野縁受け材１１の上面に当該上段野縁受け材１１と直交するように設けられているとともに、上段野縁受け材１１に固定されている。上段補強用横材１７と上段野縁受け材１１との固定方法は限定されるものではないが、例えば、溶接や固定冶具等により行えばよい。
【００５０】
上段補強用横材１７の先端部１７ａは、垂直野縁受け材１３よりも張り出し、下段補強用横材１８の上方に位置している。
【００５１】
上段補強用横材１７は、ウェブと一対のフランジとを備えた断面コ字状の鋼製形材（いわゆる溝形鋼）からなる。なお、上段補強用横材１７を構成する形材は限定されるものではなく、例えば、断面Ｃ字状のチャンネル材やＬ型鋼等であってもよい。また、上段補強用横材１７の材質も限定されるものではなく、例えばアルミニウムやステンレス等であってもよい。
【００５２】
下段野縁受け材１２は、下段の野縁１５ｂを支持する棒状部材であって、上段野縁受け材１１よりも低い位置に配設されている。
【００５３】
下段野縁受け材１２は、吊りボルト１６ｂにより吊持されている。下段野縁受け材１２の詳細は、第一の実施の形態で示した内容と同様なため、詳細な説明は省略する。
【００５４】
下段野縁受け材１２は、ウェブと一対のフランジとを備えた断面コ字状の鋼製形材（いわゆる溝形鋼）からなる。なお、下段野縁受け材１２を構成する形材は限定されるものではなく、例えば、断面Ｃ字状のチャンネル材やＬ型鋼等であってもよい。また、下段野縁受け材１２の材質も限定されるものではなく、例えばアルミニウムやステンレス等であってもよい。
【００５５】
下段の野縁１５ｂの構成は、第一の実施形態で示した内容と同様なため、詳細な説明は省略する。
【００５６】
下段補強用横材１８は、下段野縁受け材１２の上面に当該下段野縁受け材１２と直交するように設けられているとともに、下段野縁受け材１２に固定されている。下段補強用横材１８と下段野縁受け材１２との固定方法は限定されるものではないが、例えば、溶接や固定冶具等により行えばよい。
【００５７】
下段補強用横材１８は、ウェブと一対のフランジとを備えた断面コ字状の鋼製形材（いわゆる溝形鋼）からなる。なお、下段補強用横材１８を構成する形材は限定されるものではなく、例えば、断面Ｃ字状のチャンネル材やＬ型鋼等であってもよい。また、下段補強用斜材１８の材質も限定されるものではなく、例えばアルミニウムやステンレス等であってもよい。
【００５８】
垂直野縁受け材１３は、下がり壁２２に沿って配設された垂直部材であって、下がり壁２２の背面に配設された野縁１５ｃを支持している。
野縁１５ｃの構成は、第一の実施形態で示した内容と同様なため、詳細な説明は省略する。
【００５９】
垂直野縁受け材１３は、ウェブと一対のフランジとを備えた断面コ字状の鋼製形材（いわゆる溝形鋼）からなる。なお、垂直野縁受け材１３を構成する形材は限定されるものではなく、例えば、断面Ｃ字状のチャンネル材やＬ型鋼等であってもよい。また、垂直野縁受け材１３の材質も限定されるものではなく、例えばアルミニウムやステンレス等であってもよい。
【００６０】
垂直野縁受け材１３は、上段補強用横材１７から垂下して下段補強用横材１８の端部に至る形材である。つまり、垂直野縁受け材１３は、上端部が上段補強用横材１７の先端部１７ａに固定されており（接合部Ｊ７）、下端部が下段補強用横材１８の先端部１８ａに固定されている（接合部Ｊ８）。
【００６１】
垂直野縁受け材１３の上端部は、上段補強用横材１７と背合わせの状態（ウェブ同士を重ねた状態）で上段補強用横材１７に固定されている（接合部Ｊ７）。なお、上段補強用横材１７と垂直野縁受け材１３の固定方法は限定されるものではなく、例えば、溶接やビス止めにより行えばよい。
【００６２】
また、垂直野縁受け材１３の下端部は、下段補強用横材１８と背合わせの状態（ウェブ同士を重ねた状態）で下段補強用横材１８に固定されている（接合部Ｊ８）。なお、下段補強用横材１８と垂直野縁受け材１３の固定方法は限定されるものではなく、例えば、溶接やビス止めにより行えばよい。
【００６３】
補強用斜材１４は、上段補強用横材１７から斜め下方に延出して下段補強用横材１８に至る形材である。
補強用斜材１４は、ウェブと一対のフランジとを備えた断面コ字状の鋼製形材（いわゆる溝形鋼）からなる。なお、補強用斜材１４を構成する形材は限定されるものではなく、例えば、断面Ｃ字状のチャンネル材やＬ型鋼等であってもよい。また、補強用斜材１４の材質も限定されるものではなく、例えばアルミニウムやステンレス等であってもよい。
【００６４】
補強用斜材１４の上端部は、上段補強用横材１７の先端部１７ａに固定されている（接合部Ｊ９）。
補強用斜材１４は、下方に行くに従って、垂直野縁受け材１３から離れるように延出しており、補強用斜材１４の下端部は、垂直野縁受け材１３から離れた位置において、下段補強用横材１８に固定されている（接合部Ｊ１０）。つまり、補強用斜材１４の下端部は、下段補強用横材１８と垂直野縁受け材１３との交差部（接合部Ｊ８）と異なる位置において、下段補強用横材１８に固定されている。
【００６５】
補強用斜材１４の上端部は、上段補強用横材１７と背合わせの状態（ウェブ同士を重ねた状態）で上段補強用横材１７に固定されている（接合部Ｊ９）。なお、上段補強用横材１７と補強用斜材１４の固定方法は限定されるものではなく、例えば、溶接やビス止めにより行えばよい。
【００６６】
また、補強用斜材１４の下端部は、下段補強用横材１８と背合わせの状態（ウェブ同士を重ねた状態）で下段補強用横材１８に固定されている（接合部Ｊ１０）。なお、下段補強用横材１８と補強用斜材１４の固定方法は限定されるものではなく、例えば、溶接やビス止めにより行えばよい。
補強用斜材１４の高さ方向中間部は、中間つなぎ材１４ａを介して、垂直野縁受け材１３の高さ方向中間部に固定されている（接合部Ｊ５）。なお、中間つなぎ材１４ａの詳細は、第一の実地形態で示した内容と同様なため、詳細な説明は省略する。
【００６７】
本実施形態の天井下地構造１によれば、上段補強用横材１７の先端部１７ａを垂直野縁受け材１３から張り出させることで、補強用斜材１４を垂直野縁受け材１３と重ならない位置において上段補強用横材１７に固定することができる。そのため、施工時の手間を省略することが可能となる。
そのため、野縁方向で段差を有する段差天井において、段差部を剛に固めて、段差部の２つのブロック環に生じる段差部天井部分の慣性力と、段差による慣性力の偏心モーメントに対応する天井構造とすることができる。
【００６８】
この他の第二の実施形態の天井下地構造１の作用効果は、第一の実施形態で示した内容と同様なため、詳細な説明は省略する。
【００６９】
以上、本発明に係る実施形態について説明した。しかし、本発明は、前述の実施形態に限られず、前記の各構成要素については、本発明の趣旨を逸脱しない範囲で、適宜変更が可能である。
【符号の説明】
【００７０】
１    天井下地構造
１１  上段野縁受け材
１２  下段野縁受け材
１３  垂直野縁受け材
１４  補強用斜材
１７  上段補強用横材
１８  下段補強用横材
Ｊ１〜Ｊ１０  接合部
【図１】
0005908341.tif 000002
【図２】
0005908341.tif 000003
【図３】
0005908341.tif 000004
【図４】
0005908341.tif 000005